(57)【要約】      （修正有）【課題】結婚式やプレゼント等に使用されるブーケを効率よく制作できるフラワーホルダーを提供する。【解決手段】ホルダー体Ａは、上方開口部１１から中空部１０に所望のフラワーが挿し込まれ茎部が係止自在であり、ホルダー体Ａの側面１３には小孔１４や中空枝状部１５が複数設けられ、小孔１４や中空枝状部１５にも茎部が挿し込まれて係止自在である。フラワー固定補助部材Ｂは、ホルダー体Ａの上方開口部１１から中空部１０に対し着脱自在で、中央が大きく開口された開口部２１を有する外枠部２０と、外枠部２０に上端２３が取り付けられ下方に延びる１本又は複数本の脚部２２とで形成され、脚部２２がホルダー体Ａの上方開口部１１から中空部１０内で係止自在で、開口部２１を通じてホルダー体Ａの中空部１０に、フラワーの茎部が挿し込まれフラワーが位置決め固定される。【選択図】図１
0003149182.tif 000002
【実用新案登録請求の範囲】
【請求項１】
上下方向に貫通する中空部を有する筒状のホルダー体を備えたフラワーホルダーであって、前記ホルダー体の上方開口部から中空部に、所望のフラワーが挿し込まれて係止自在であると共に、前記ホルダー体の側面には小孔や中空の枝状部が複数設けられており、前記小孔や中空枝状部にも所望のフラワーが挿し込まれて係止自在に構成されていることを特徴とするフラワーホルダー。
【請求項２】
上下方向に貫通する中空部を有する筒状のホルダー体と、当該ホルダー体に対し着脱自在なフラワー固定補助部材を備えたフラワーホルダーであって、
前記ホルダー体は、その上方開口部から中空部に、所望のフラワーが挿し込まれ当該フラワーの茎部が係止自在であると共に、前記ホルダー体の側面には小孔や中空の枝状部が複数設けられ、前記小孔や中空枝状部にも所望のフラワーの茎部が挿し込まれて係止自在であること、
前記フラワー固定補助部材は、ホルダー体の上方開口部から中空部に対し着脱自在であり、中央が大きく開口された開口部を有する外枠部と、その外枠部に上端が取り付けられ下方に延びる１本又は複数本の脚部とで形成され、前記脚部がホルダー体の上方開口部から中空部内で係止自在であり、当該フラワー固定補助部材の開口部を通じてホルダー体の中空部に、所望のフラワーの茎部が挿し込まれて当該フラワーが位置決め固定される構成であることを特徴とするフラワーホルダー。
【請求項３】
ホルダー体は、上方開口部が最も大きく下方にいくに従って小径の円筒体状に形成されていることを特徴とする請求項１又は２に記載したフラワーホルダー。
【請求項４】
ホルダー体の中空枝状部は、上下方向に貫通する中空部を有する筒状に突出して形成され、その突出した中空枝状部はホルダー体の側面に上向きの斜め方向に設けられ、ホルダー体の中空部に貫通していることを特徴とする請求項１〜３のいずれか１項に記載したに記載したフラワーホルダー。
【請求項５】
ホルダー体の下端には、線材による係止リング部が設けられており、当該ホルダー体の中空部又は小孔に挿し込まれた所望のフラワーの下方の茎部を束ねる結束線材が、前記係止リング部に直接又は間接的に係止される構成であることを特徴とする請求項１〜４のいずれか１項に記載したフラワーホルダー。
【請求項６】
フラワー固定補助部材の外枠部や脚部に小孔が設けられており、当該小孔に小物がチェーン等で固定自在であると共に、当該脚部の小孔とホルダー体の小孔に通された結束線材の結束により、フラワー固定補助部材がホルダー体に固定される構成であることを特徴とする請求項２に記載したフラワーホルダー。
【請求項７】
フラワー固定補助部材の外枠部は、リング形又は四角形、三角形、その他の多角形、ハート形、十字形等の所望形状に形成されていることを特徴とする請求項２又は６に記載したフラワーホルダー。
【請求項８】
ホルダー体の中空部又は小孔若しくは中空枝状部に挿し込まれた所望のフラワーの上方部に対し、ジュエリー固定補助部材が着脱自在であり、当該ジュエリー固定補助部材は、上部が平板状のベース部と、そのベース部の上面に設けられた係止リング部と、前記ベース部から下方に延びる脚部とで形成され、前記ベース部の係止リング部に、ブローチやネックレス、イヤリング、リング類の装身具や香水、ストラップ、ＬＥＤ類の発光体等の小物が着脱自在に構成されていることを特徴とする請求項１〜５のいずれか１項に記載したフラワーホルダー。
【請求項９】
ジュエリー固定補助部材は、長方形、正方形、ハート形、星形、三つ葉形、梅形、桜形、扇形、卵形、三日月形等の所望形状で所望大きさに形成されていることを特徴とする請求項８に記載したフラワーホルダー。
【考案の詳細な説明】
【技術分野】
【０００１】
本考案は、結婚式・プレゼント用又はデコレーション・ディスプレイ用などに使用されるブーケやオブジェ等（以下、ブーケと総称して言う）として制作したり、本人が記念品として贈呈されたブーケから、自分の好みに応じてフラワーや小物を取り外し、そのまま身飾品として使用したり、或いは新たにアレンジし直して他の小物と合体させ、自分の記念として部屋に飾るフラワーホルダーの技術分野に関する。
【背景技術】
【０００２】
従来、結婚式では、使用されたブーケはそのまま新婦に渡されて家に持ち帰るか、廃棄処分にされることが多い。
【０００３】
また例えば、下記文献１に係る特開２００７−１３０４３０号公報には、板体状の台座を屈曲容易な線状物、あいは蛇腹構造等からなる把手部芯材で支持し、この台坐上に樹脂製剣山を一体に装着してなり、その後に剣山部材に茎を短尺に切断したドライフラワー、造花等を一輪ごとに多数、多様の花、葉等を差し込みブーケを構成してブーケの花面の視覚角度を把手部を屈曲することにより自由に選択でき、かつ設置場所に応じて把手部を任意に屈曲変形して装着部位の用途拡大を図ったブーケ支持具が開示されている。
【特許文献１】特開２００７−１３０４３０号公報
【考案の開示】
【考案が解決しようとする課題】
【０００４】
前記従来のように、使用されたブーケを新婦が家に持ち帰っても、自分の好みに応じてそのブーケのフラワーを解体し、アレンジして部屋に飾ろうとする場合、花瓶に無造作にフラワーを挿すのが通例で、それでは折角の思い出が台無しになってしまう。さらに、イミテーションフラワーを使用したブーケは、永く飾っておくこともできるのに、ブーケ使用状態のままでは、自分の好みに応じてアレンジできず不都合である。
【０００５】
また、前記文献１に記載のブーケ支持具は、剣山部材に差し込んだドライフラワーや造花等は、その大きさが自ずと小さく、またアレンジの度合も限定され自由度が少ない。小物類のアクセサリーを取り付けるスペースもない。さらに、使用後に、剣山部材からライフラワーや造花等後を抜いて、記念として自分の好みにアレンジすることも通常は考えにくく、仮に再アレンジする際に剣山部材からドライフラワーや造花等を抜く作業は面倒で煩わしい。
【０００６】
したがって、結婚式やプレゼント用又はデコレーション・ディスプレイ用等に使用されるブーケを効率よく制作できる上、本人が記念品として贈呈されたブーケから、自分の好みに応じてフラワー等を取り外し、新たな小物等と組み合せてアレンジし直し、自分の記念として部屋に飾ったり、或いは当該ホルダーから自分の好みに応じてフラワーや小物を簡単に分解して取り外せて、個々にフラワーや小物を使用することもできて便利なフラワーホルダーを提供することにある。
【課題を解決するための手段】
【０００７】
上記課題を解決するための手段として、請求項１記載の考案のフラワーホルダーは、上下方向に貫通する中空部１０を有する筒状のホルダー体Ａを備えたフラワーホルダーであって、前記ホルダー体Ａの上方開口部１１から中空部１０に、所望のフラワー１が挿し込まれて係止自在であると共に、前記ホルダー体Ａの側面１３には小孔１４や中空の枝状部１５が複数設けられており、前記小孔１４や中空枝状部１５にも所望のフラワー１が挿し込まれて係止自在に構成されていることを特徴とする。
【０００８】
請求項２記載の考案のフラワーホルダーは、上下方向に貫通する中空部１０を有する筒状のホルダー体Ａと、当該ホルダー体Ａに対し着脱自在なフラワー固定補助部材Ｂを備えたフラワーホルダーであって、
前記ホルダー体Ａは、その上方開口部１１から中空部１０に、所望のフラワー１が挿し込まれ当該フラワー１の茎部１ｃが係止自在であると共に、前記ホルダー体Ａの側面１３には小孔１４や中空枝状部１５が複数設けられ、前記小孔１４や中空枝状部１５にも所望のフラワー１の茎部１ｃが挿し込まれて係止自在であること、
前記フラワー固定補助部材Ｂは、ホルダー体Ａの上方開口部１１から中空部１０に対し着脱自在であり、中央が大きく開口された開口部２１を有する外枠部２０と、その外枠部２０に上端２３が取り付けられ下方に延びる１本又は複数本の脚部２２とで形成され、前記脚部２２がホルダー体Ａの上方開口部１１から中空部１０内で係止自在であり、当該フラワー固定補助部材Ｂの開口部２１を通じてホルダー体Ａの中空部１０に、所望のフラワー１の茎部１ｃが挿し込まれて当該フラワー１が位置決め固定される構成であることを特徴とする。
【０００９】
請求項３記載の考案のフラワーホルダーは、前記ホルダー体Ａが、上方開口部１１が最も大きく下方にいくに従って小径の円筒体状に形成されていることを特徴とする。
【００１０】
請求項４記載の考案のフラワーホルダーは、前記ホルダー体Ａの中空枝状部１５が、上下方向に貫通する中空部１０を有する筒状に突出して形成され、その突出した中空枝状部１５は、ホルダー体Ａの側面１３に上向きの斜め方向に設けられ、ホルダー体Ａの中空部１０に貫通していることを特徴とする。
【００１１】
請求項５記載の考案のフラワーホルダーは、前記ホルダー体Ａの下端１６に、線材による係止リング部１７が設けられており、当該ホルダー体Ａの中空部１０又は小孔１４、１５に挿し込まれた所望のフラワー１の下方の茎部１ｂを束ねる結束線材３が、前記係止リング部１７に直接又は間接的に係止される構成であることを特徴とする。
【００１２】
請求項６記載の考案のフラワーホルダーは、前記フラワー固定補助部材Ｂの外枠部２０や脚部２２に小孔２４が設けられており、当該小孔２４に小物２６がチェーン２７等で固定自在であると共に、当該脚部２２の小孔２４とホルダー体Ａの小孔１４に通された結束線材２８の結束により、フラワー固定補助部材Ｂがホルダー体Ａに固定される構成であることを特徴とする。
【００１３】
請求項７記載の考案のフラワーホルダーは、前記フラワー固定補助部材Ｂの外枠部２０が、リング形又は四角形、三角形、その他の多角形、ハート形、十字形等の所望形状に形成されていることを特徴とする。
【００１４】
請求項８記載の考案のフラワーホルダーは、前記ホルダー体Ａの中空部１０又は小孔１４若しくは中空枝状部１５に挿し込まれた所望のフラワー１の上方部１ａに対し、ジュエリー固定補助部材Ｃが着脱自在であり、当該ジュエリー固定補助部材Ｃは、上部が平板状のベース部３０と、そのベース部３０の上面３１に設けられた係止リング部３２と、前記ベース部３０から下方に延びる脚部３３とで形成され、前記ベース部３０の係止リング部３２に、ブローチ４やネックレス５、イヤリング６、リング７類の装身具や香水、ストラップ、ＬＥＤ類の発光体等の小物が着脱自在に構成されていることを特徴とする。
【００１５】
請求項９記載の考案のフラワーホルダーは、前記ジュエリー固定補助部材Ｃは、長方形、正方形、ハート形、星形、三つ葉形、梅形、桜形、扇形、卵形、三日月形等の所望形状で所望大きさに形成されていることを特徴とする。
【考案の効果】
【００１６】
請求項１記載の本考案のフラワーホルダーは、上下方向に貫通する中空部を有する筒状のホルダー体を備えたフラワーホルダーであって、前記ホルダー体の上方開口部から中空部に、所望のフラワーが挿し込まれて係止自在であると共に、前記ホルダー体の側面には小孔や中空の枝状部が複数設けられており、前記小孔や中空枝状部にも所望のフラワーが挿し込まれて係止自在に構成されているので、当該フラワーホルダーを利用してイミテーションフラワーや生花等を挿し込んで、結婚式やプレゼント用又はデコレーション・ディスプレイ用等に使用されるブーケを効率よく制作できる。
【００１７】
特に請求項２記載の本考案のフラワーホルダーは、前記筒状のホルダー体と共に、当該ホルダー体に対し着脱自在なフラワー固定補助部材の併用タイプであり、前記フラワー固定補助部材は、ホルダー体の上方開口部から中空部に対し着脱自在で、中央が大きく開口された開口部を有する外枠部と、その外枠部に上端が取り付けられ下方に延びる１本又は複数本の脚部とで形成され、前記脚部がホルダー体の上方開口部から中空部内で係止自在であり、当該フラワー固定補助部材の開口部を通じてホルダー体の中空部に、所望のフラワーの茎部が挿し込まれて当該フラワーが位置決め固定される構成であるので、当該ホルダー体とフラワー固定補助部材を利用して、所望のイミテーションフラワーや生花等を挿し込んだ際、型崩れすることなく奇麗なブーケを提供することができる。
【００１８】
また、当該ホルダー体とフラワー固定補助部材の併用タイプから成るフラワーホルダーを利用して、別に贈呈された本人用ブーケから自分の好みに応じて取り外したフラワー等を、新たな小物等と組み合せてアレンジし直すことができ、記念として部屋に飾って楽しめる。
【００１９】
さらに、当該フラワーホルダーにより制作されたブーケ等から、自分の好みに応じてフラワーや小物を簡単に分解して取り外し、身飾品として個々にフラワーや小物を使用することもできる自由度と融通性にも優れている。
【００２０】
請求項３記載の本考案のフラワーホルダーのホルダー体が、上方開口部が最も大きく下方にいくに従って小径の円筒体状に形成されているので、当該ホルダー体の上方開口部から挿し込んだフラワーが降下するに従って程良く保持される。
【００２１】
請求項４記載の本考案のフラワーホルダーは、ホルダー体の中空枝状部が、上下方向に貫通する中空部を有する筒状に突出して形成され、その突出した中空枝状部はホルダー体の側面に上向きの斜め方向に設けられ、ホルダー体の中空部に貫通しているので、この中空枝状部にフラワーの茎部を挿すことができて便利である上、中空枝状部に挿されたフラワーでホルダー体を隠すこともできる副次的効果もある。
【００２２】
請求項５記載の本考案のフラワーホルダーは、ホルダー体の下端に、線材による係止リング部が設けられているので、当該ホルダー体の中空部又は小孔に挿し込んだフラワーの下方の茎部を束ねる結束線材を、前記係止リング部に直接係止したり、又は係止リング部に係止した補助線材に対し間接的に係止することで、当該フラワーを茎部で確実に拘束でき取り扱い易い。
【００２３】
請求項６記載の本考案のフラワーホルダーは、フラワー固定補助部材の外枠部や脚部に小孔が設けられているので、当該小孔に小物をチェーン等で楽に固定することができる。
【００２４】
また、当該脚部の小孔とホルダー体の小孔に通された結束線材の結束により、フラワー固定補助部材がホルダー体に確実に固定され、アレンジする際に支障がない。
【００２５】
請求項７記載の本考案のフラワーホルダーは、フラワー固定補助部材の外枠部が、リング形又は四角形、三角形、その他の多角形、ハート形、十字形等の所望形状に形成されているため、発注者・受注者の趣向や用途に応じて好きな形状のフラワーホルダーを選べて便利である。
【００２６】
請求項８記載の本考案のフラワーホルダーは、ジュエリー固定補助部材が、平板状のベース部（上部）と、そのベース部の上面に設けられた係止リング部と、前記ベース部から下方に延びる脚部とで形成されているので、前記ベース部の係止リング部に、ブローチやネックレス、イヤリング、リング類の装身具や香水、ストラップ、ＬＥＤ類の発光体等の小物を自由に取り付けたり交換できる。そして、前記ジュエリー固定補助部材を、ホルダー体の中空部又は小孔若しくは中空枝状部に挿し込まれた所望のフラワーの上方部に挿し込んで簡単に取り付けたり外したりでき使い勝手がよい。
【００２７】
請求項９記載の本考案のフラワーホルダーは、前記ジュエリー固定補助部材が、長方形、正方形、ハート形、星形、三つ葉形、梅形、桜形、扇形、卵形、三日月形等の所望形状で所望大きさに形成されているので、発注者・受注者の趣向や用途に応じて好きな形状のジュエリー固定補助部材を選択できる自由度もある。
【考案を実施するための最良の形態】
【００２８】
本考案に係るフラワーホルダーの好適な実施形態を、以下図面にしたがって説明する。
【００２９】
本実施形態のフラワーホルダーは、第１に、結婚式やプレゼント用等のブーケを作る際に使用される。第２の実施形態としては、本人が記念品として贈呈された別のブーケから、自分の好みに応じてフラワー等を取り外し、新たな小物等と組み合せてこのフラワーホルダーに取り付け、自分の記念として部屋に飾る目的でも使用される。
【００３０】
さらに、第３の実施形態として、当該フラワーホルダーから自分の好みに応じてフラワーや小物を取り外した後、その小物やフラワーを身飾品として個々に使用する形態もある。いずれにしても、本請求項１〜９記載の考案に関する実施の形態は共通しているので、以下のとおり一括して説明する。
【００３１】
図１は、本フラワーホルダーの基本的な実施形態として、ホルダー体Ａとフラワー固定補助部材Ｂの合体タイプを示しており、図２は、前記合体タイプのフラワーホルダーにフラワーと小物を取り付けた使用状態を示している。但し、図５に示したようなホルダー体Ａを単体で使用することも可能である。
【００３２】
当該ホルダー体Ａの構造を、図３を中心として説明する。
【００３３】
このホルダー体Ａは、アクリル等のプラスチック製やスチール製、木製、厚紙製等により、全体形状が上下方向に貫通する中空部１０を有する筒状をなし、全長は例えば１０ｃｍぐらいで、その上方開口部１１から中空部１０に、所望のフラワー１が挿し込まれて係止自在に構成されている。フラワー１の茎部１ｂの係止（保持）を容易ならしめるべく、このホルダー体Ａは、上方開口部１１が例えばφ＝５ｃｍで最も大きく、下方にいくに従って小径で、下方開口部１２がφ＝３ｃｍの円筒体状に形成されている。なお、本実施形態で使用されるフラワー１はイミテーションフラワーをいうが、生花であってもよい。
【００３４】
さらに、当該ホルダー体Ａの側面１３には、フラワー１の茎部１ｂが挿し込み可能な大きさで開口された小孔１４や中空の枝状部１５が複数設けられており、前記小孔１４や中空枝状部１５にも所望のフラワー１が挿し込まれて係止自在となっている。中空枝状部１５は、上下方向に貫通する中空部１０を有する筒状に突出して形成され、その突出した中空枝状部１５は、ホルダー体Ａの側面１３に上向きの斜め方向に設けられ、ホルダー体Ａの中空部１０に貫通されている。よって、当該中空枝状部１５に挿し込まれたフラワー１の茎部１ｂが、ホルダー体１の内部まで挿し込み可能となっている。
【００３５】
加えて、ホルダー体Ａの下端１６には、下半部がリング状に垂れ下がった線材による係止リング部１７が、複数設けられている。図６に拡大して示したように、当該ホルダー体Ａの中空部１０又は小孔１４や中空枝状部１５に挿し込まれた所望のフラワー１・・・の複数の茎部１ｂ・・・を束ねる結束線材３が、前記係止リング部１７に係止された補助線材３ａに通され、当該茎部１ｂ・・・を一周し、当該結束線材３の両端同士を絡ませて止める実施形態が好適である。これにより複数のフラワー１の茎部１ｂ・・・の固定が強固となる。
【００３６】
かくして、このホルダー体Ａを、図５に示したような単体で使用することも可能である。実際は、図５で示した状態はブーケの制作途中であり、ホルダー体Ａの小孔１４や中空枝状部１５に更にフラワー１が挿し込まれる。
【００３７】
次に、フラワー固定補助部材Ｂの構造を、図４と図１を中心に説明する。
【００３８】
このフラワー固定補助部材Ｂは、前記のホルダー体Ａに対し上方からの着脱が自在に構成されている。すなわち、フラワー固定補助部材Ｂは、ホルダー体Ａの上方開口部１１から中空部１０に対し着脱自在であり（図１）、例えばφ＝１５ｃｍ等で中央が大きく開口された開口部２１を有するリング状等の外枠部２０と、その外枠部２０に上端２３が取り付けられ、内側にやや湾曲した後垂下して下方に延びる１本又は複数本の脚部２２・・・とで形成されている。１本の脚部２２の全長は、例えば２０ｃｍぐらいである。
【００３９】
よって、図１に示したように、前記脚部２２がホルダー体Ａの上方開口部１１から中空部１０内で係止自在であり、当該フラワー固定補助部材Ｂの開口部２１を通じてホルダー体Ａの中空部１０に、所望のフラワー１の茎部１ｃが挿し込まれて当該フラワー１が位置決め固定されるものである（図１０参照）。
【００４０】
前記フラワー固定補助部材Ｂの外枠部２０や脚部２２には、小孔２４が略等間隔で多数設けられている。当該小孔２４に小物２６をチェーン２７等で固定するためである。また、当該小孔２４を利用して、脚部２２の小孔２４とホルダー体Ａの小孔１４に結束線材２８を通し、ホルダー体Ａの側面１３で当該結束線材２８の端部同士を結束することにより、フラワー固定補助部材Ｂをホルダー体Ａに確実に固定させることができる。
【００４１】
なお、図７に示したように、前記フラワー固定補助部材Ｂの外枠部２０は、図４図示例のリング形のほか、四角形（図７ｂ）、三角形（図７ｃ）、その他の多角形、ハート形（図７ｄ）、十字形（図７ａ）等の所望形状に形成して実施することが可能である。
【００４２】
次に、図８と図９に示したジュエリー固定補助部材Ｃについて説明する。
【００４３】
ジュエリー固定補助部材Ｃは、ジュエリーを取り付けた状態で、上記ホルダー体Ａの中空部１０や小孔１４、若しくは中空枝状部１５に挿し込まれた所望のフラワー１の上方部１ａに対して、上方から挿し込んで自由に取り付けられるものである。
【００４４】
当該ジュエリー固定補助部材Ｃは、図９に図示したように、上部がサイズ・形状は様々な平板状のベース部３０と、そのベース部３０の上面３１に設けられた係止リング部３２と、前記ベース部３０から下方に延びる１本又は複数本の脚部３３とで形成されている。その製作手順を図８に示した。すなわち、装身具を傷付けないようにクッション性のあるサテン布で成る平板なベース部３０に、予め２ヶ所の通孔３４、３４を穿設しておく。脚部３３と係止リング部３２が連接された一本もののワイヤー入りビニールホースを、前記ベース部３０の下方から通孔３４に通し（図８ａ）、ベース部３０の上方で余裕をもって折り返し（図８ｂ）、異なる通孔３４に通して下方に延伸させる（図８ｃ）。よって、かかる状態で、ベース部３０の下方では当該ビニールホースの基端部分と先端部分が各々脚部３３、３３をなし、ベース部３０の上方で余裕をもたせたビニールホースの中間部分が係止リング部３２に形成される。
【００４５】
なお、図８ｂの状態で、当該ビニールホースの先端から小物７を係止させ、最終的には、図８ｄに例示した如く当該ビニールホースの２本の脚部３３、３３の途中で結束線材３６により束ねて使用することも行われる。当該ベース部３０の係止リング部３２には、ブローチ４やネックレス５、イヤリング６、リング７類の装身具（ジュエリー）や香水、ストラップ、ＬＥＤ類の発光体等の小物等あらゆるものを取り付けることができる。
【００４６】
また、図９に示したように、前記のベース部３０の形状を、長方形（図９ａ）や正方形（図９ｂ）、ハート形（図９ｄ）、星形（図９ｃ）、三つ葉形（図９ｅ）の形態で実施したり、その他図示を省略した梅形や桜形、扇形、卵形、三日月形といった所望の形状で、かつ所望の大きさに形成する実施形態を採用することも可能である。
【００４７】
したがって、図１０に例示した如く上述した本フラワーホルダーを利用して、好みにあったブーケを作ることができる。また、図示を省略したキャンディー等のお菓子や、フォーク・ナイフ類のテーブルコーディネートセットなど好みに応じて何でも本フラワーホルダー（ホルダー体Ａ）に挿し込むことができ、豪華で満足いく所望のブーケが制作される。なお、大きなリボン４０をホルダー体Ａに巻き付ければ、フラワー茎部１ｂに巻かれた結束線材３や当該ホルダー体Ａ（特には下方部）を隠すことができる。また、符号２で示した包装紙で全体を覆う形態が好ましい。
【００４８】
また、図１１に例示したシンプルなブーケとしても利用できる。同図１１の場合、図１０のブーケと比べ、フラワー固定補助部材Ｂとジュエリー固定補助部材Ｃを用いないホルダー体Ａのみのタイプである。
【００４９】
図１２と図１３は、前記図１０と図１１のようなフラワーホルダーを利用したブーケを使用した後に、フラワーホルダーからフラワー１や種々の小物を取り除き、同ブーケを解体して、個々に使用する実施形態を示している。
【００５０】
図１２における（ａ）はネックレス５、（ｂ）はブローチ４、（ｃ）は指輪８とブレスレット５０、（ｄ）は異なる小さなブーケ６０として使用する例である。
【００５１】
図１３における（ａ）は異なる小物のネックレス５、（ｂ）は異なる小物のブレスレット５０、（ｃ）は異なる小物のブローチ４、（ｄ）は異なる指輪８とブレスレット５０、（ｅ）はイヤリング６０して使用する例を、それぞれ示している。
【図面の簡単な説明】
【００５２】
【図１】ホルダー体とフラワー固定補助部材よりなるフラワーホルダーを示した全体図である。
【００５３】
【図２】図１のフラワーホルダーにフラワーや小物を取り付けたブーケを示した全体図である。
【００５４】
【図３】ホルダー体を示した斜視図である。
【００５５】
【図４】フラワー固定補助部材を示した斜視図である。
【００５６】
【図５】図３のホルダー体のみを利用したフラワーの取り付け要領を示した全体図である。
【００５７】
【図６】図５におけるホルダー体の下端とフラワー茎部の係止要領を示した拡大斜視図である。
【００５８】
【図７】（ａ）（ｂ）（ｃ）（ｄ）は、フラワー固定補助部材の外枠部のバリエーションを示した平面図である。
【００５９】
【図８】（ａ）（ｂ）（ｃ）（ｄ）は、ジュエリー固定補助部材の製作要領を示した斜視図である。
【００６０】
【図９】（ａ）（ｂ）（ｃ）（ｄ）は、ジュエリー固定補助部材のバリエーションを示した斜視図である。
【００６１】
【図１０】フラワーホルダーを利用したブーケの実施形態を示した全体図である。
【００６２】
【図１１】フラワーホルダーを利用したブーケの異なる実施形態を示した全体図である。
【００６３】
【図１２】（ａ）（ｂ）（ｃ）（ｄ）は、フラワーホルダーを利用したブーケ解体後に個々に使用される小物を示した説明図である。
【００６４】
【図１３】（ａ）（ｂ）（ｃ）（ｄ）（ｅ）は、フラワーホルダーを利用したブーケ解体後に個々に使用される異なる小物を示した説明図である。
【符号の説明】
【００６５】
Ａ      ホルダー体
１０    中空部
１１    上方開口部
１２    下方開口部
１３    側面
１４    小孔
１５    中空枝状部
１７    係止リング部
Ｂ      フラワー固定補助部材
２０    外枠部
２１    開口部
２２    脚部
２４    小孔
２６    小物
Ｃ      ジュエリー固定補助部材
３０    ベース部
３２    係止リング部
３３    脚部
１      フラワー
１ａ    上方部
１ｂ    茎部
３      結束線材
４      ブローチ
５      ネックレス
６      イヤリング
【図１】
0003149182.tif 000003
【図２】
0003149182.tif 000004
【図３】
0003149182.tif 000005
【図４】
0003149182.tif 000006
【図５】
0003149182.tif 000007
【図６】
0003149182.tif 000008
【図７】
0003149182.tif 000009
【図８】
0003149182.tif 000010
【図９】
0003149182.tif 000011
【図１０】
0003149182.tif 000012
【図１１】
0003149182.tif 000013
【図１２】
0003149182.tif 000014
【図１３】
0003149182.tif 000015